(57)【特許請求の範囲】
【請求項１】
壁部にブラケットを介して支持されるカーテンレールと、同カーテンレールの上部を覆うシーリングとを備えるカーテンレールのカバー装置において、
前記カーテンレールの上部に上方に向かって立ち上がる支持片を備え、
前記シーリングは、前記壁部側の第１の縁部が前記壁部と、前記壁部の反対側に設けられる第２の縁部が前記支持片と、それぞれ当接した状態で、これら前記壁部及び前記支持片の協働で保持され、
前記シーリングは、硬質部と、同硬質部よりも板厚が薄く設定されるとともに、同硬質部よりも前記壁部側に設けられる軟質部とからなることを特徴とするカーテンレールのカバー装置。
【請求項２】
請求項１に記載のカーテンレールのカバー装置において、
前記ブラケットは、前記カーテンレールを保持する保持部を備え、
前記カーテンレールは、前記支持片に連続して前記壁部側へ延びる延設片と、同延設片の下側において前記保持部に保持されるブラケットかかり部とを備え、
前記延設片の前記壁部側への突出長は、前記ブラケットかかり部が前記保持部に支持された状態で前記ブラケットに対し前記壁部側に傾斜した状態から、先の支持された部分を支点として回動して前記カーテンレールと前記ブラケットとが取り付け状態となるまで、前記延設片が前記ブラケットの上面に対し干渉しない長さに設定したことを特徴とするカーテンレールのカバー装置。
【請求項３】
請求項２に記載のカーテンレールのカバー装置において、
前記ブラケットかかり部は、前記支持片に連続して前記壁部側へ延びて規制され、
前記シーリングは、前記第２の縁部が前記延設片と前記ブラケットかかり部との間に収容されながら、前記第２の縁部を支点にして前記第１の縁部を前記カーテンレールの上方から前記カーテンレールに向かって変位させることにより、前記壁部及び前記支持片の協働で保持されることを特徴とするカーテンレールのカバー装置。
【請求項４】
請求項１〜３のうちいずれか一項に記載のカーテンレールのカバー装置において、
前記シーリングは、条を備えることを特徴とするカーテンレールのカバー装置。
【請求項５】
請求項４に記載のカーテンレールのカバー装置において、
前記カーテンレールは、前記壁部側の第１のレールと、同第１のレールよりも前記壁部から離れた側に設けられる第２のレールとにより構成され、
前記ブラケットは、その下部において前記第１及び第２のレールを支持するとともに、前記第２のレールを支持する位置の上面が、前記第１のレールを支持する位置の上面と比較して低く形成され、
前記条は、前記ブラケットにおける前記第２のレールを支持する位置の上面と当接することを特徴とするカーテンレールのカバー装置。
【請求項６】
請求項１〜５のうちいずれか一項に記載のカーテンレールのカバー装置において、
前記カーテンレールの両端部に取り付けられて、同端部を隠すとともに前記壁部側に延びるサイドカバーを備え、
前記シーリングは、前記カーテンレールの長手方向の長さと等しく形成され、同シーリングにおける長手方向の縁部は、前記サイドカバーと当接することを特徴とするカーテンレールのカバー装置。
【請求項７】
請求項１〜６のうちいずれか一項に記載のカーテンレールのカバー装置において、
前記ブラケットに取り付けられるとともに、その上部に取付凸部を有するアダプタを備え、
前記シーリングの下面には、前記取付凸部に支持される取付溝が形成されることを特徴とするカーテンレールのカバー装置。
【請求項８】
請求項１〜７のうちいずれか一項に記載のカーテンレールのカバー装置において、
前記カーテンレールの長手方向からみたときの前記シーリングの形状は、波形であることを特徴とするカーテンレールのカバー装置。
【請求項９】
請求項１〜８のうちいずれか一項に記載のカーテンレールのカバー装置において、
前記シーリングは、前記壁部に向かうにつれて徐々に板厚が薄くなることを特徴とするカーテンレールのカバー装置。
【請求項１０】
請求項１〜９のうちいずれか一項に記載のカーテンレールのカバー装置において、
前記シーリングは、押出材であることを特徴とするカーテンレールのカバー装置。
【請求項１１】
壁部にブラケットを介して支持される２つのカーテンレールの上部を覆うシーリングにおいて、
前記ブラケットは、前記壁部側の前記カーテンレールの支持位置の上面が、前記壁部から離れた側の前記カーテンレールの支持位置の上面に対し高くなるように形成されており、
前記シーリングの下面には、複数の条が一体形成されるとともに、同条の下側への突出長は、前記壁部側が短く、前記壁部から離れた側が長く形成され、
前記シーリングは、硬質部と、同硬質部よりも板厚が薄く設定されるとともに、同硬質部よりも前記壁部側に設けられる軟質部とからなることを特徴とするシーリング。
【請求項１２】
壁部にブラケットを介して支持されるカーテンレールと、
前記カーテンレールの両端部に接続されるとともに、前記壁部側に延びる２つのサイドカバーと、
前記カーテンレールの上部に連続して上方に向かって立ち上がるとともに、前記壁部から離れた側の面が意匠面とされた支持片と、
前記カーテンレールの上部を覆うとともに、前記壁部、前記２つのサイドカバー、及び前記支持片によって周囲が囲まれるシーリングを備え、
前記シーリングは、硬質部と、同硬質部よりも板厚が薄く設定されるとともに、同硬質部よりも前記壁部側に設けられる軟質部とからなるカーテンレールの組立体。
【請求項１３】
壁部にブラケットを介して支持されるカーテンレールと、同カーテンレールの上部を覆うシーリングとを備えるカーテンレールのカバー装置において、
前記カーテンレールの上部に上方に向かって立ち上がる支持片を備え、
前記ブラケットは、前記カーテンレールを保持する保持部を備え、
前記カーテンレールは、前記支持片に連続して前記壁部側へ延びる延設片と、同延設片の下側において前記保持部に保持されるブラケットかかり部とを備え、
前記延設片の前記壁部側への突出長は、前記ブラケットかかり部が前記保持部に支持された状態で前記ブラケットに対し前記壁部側に傾斜した状態から、先の支持された部分を支点として回動して前記カーテンレールと前記ブラケットとが取り付け状態となるまで、前記延設片が前記ブラケットの上面に対し干渉しない長さに設定され、
前記シーリングは、前記壁部側の第１の縁部が前記壁部と、前記壁部の反対側に設けられる第２の縁部が前記支持片と、それぞれ当接した状態で、これら前記壁部及び前記支持片の協働で保持されることを特徴とするカーテンレールのカバー装置。
【発明の詳細な説明】
【技術分野】
【０００１】
本発明は、カーテンレールの上部に設けられて遮光性及び断熱性を高めるカーテンレールのカバー装置、シーリング、及びカーテンレールの組立体に関する。
【背景技術】
【０００２】
カーテンレールの上部を覆って遮光性及び防音性を高めるカーテンレールのカバー装置としては、例えば特許文献１に示されるものがある。特許文献１のカバー装置は、断面Ｌ字状とされたカバー本体と、これの両端部に取り付けられるエンドカバーとにより構成されている。エンドカバーは、住宅の壁部に複数のブラケットを介して支持される２本のカーテンレールの両端部に取り付けられる。カバー本体は、カーテンレールの上方に位置するようにエンドカバーに取り付けられる。カーテンレールは、カバー本体に収容される。こうして、カバー装置は、２本のカーテンレールと壁部との間における遮光性及び防音性を高めている。また、特許文献２のように、カーテンレールとこれの上部を覆うカバー本体とを一体化したものもある。
【先行技術文献】
【特許文献】
【０００３】
【特許文献１】実公平８−９４２号公報
【特許文献２】実公平５−７９８２号公報
【発明の概要】
【発明が解決しようとする課題】
【０００４】
しかしながら、特許文献１のカバー装置では、断面Ｌ字状に形成されているカバー本体の室内側の部分が、カーテンレールの室内側の面の前方に位置している。すなわち、カバー本体の室内側の部分とカーテンレールの室内側の面との間には、空間が存在する。このため、カバー本体が大型化してしまい、このカバー装置をカーテンレールに取り付ける際の施工性が悪い。特許文献２のカバー装置においては、カーテンレールとカバー本体とが一体であることから、カーテンレールごと取外しする必要がある。このため、施工性が悪い。従って、部屋内側面意匠をユーザーの嗜好に合わせて選択・取替えることが困難となる。さらに言えば、ブラケットをスライドブロックによるワンタッチ嵌合にしようとすると前掛け部に保持した状態でレールを部屋外側に傾斜した状態から水平の状態に回転させながら取り付けなければならないためブラケット上部に当たらないよう前板を高くする必要があり高くしてしまうとブラケット上方に大きい空間がないと取り付けることさえもできない。
【０００５】
本発明は、上記課題に鑑みてなされたものであり、その目的は、コンパクトで施工性のよいカーテンレールのカバー装置、シーリング、及びカーテンレールの組立体を提供することにある。
【課題を解決するための手段】
【０００６】
上記課題を解決するために、請求項１に記載の発明は、壁部にブラケットを介して支持されるカーテンレールと、同カーテンレールの上部を覆うシーリングとを備えるカーテンレールのカバー装置において、前記カーテンレールの上部に上方に向かって立ち上がる支持片を備え、前記シーリングは、前記壁部側の第１の縁部が前記壁部と、前記壁部の反対側に設けられる第２の縁部が前記支持片と、それぞれ当接した状態で、これら前記壁部及び前記支持片の協働で保持されることを要旨とする。また、前記シーリングは、硬質部と、同硬質部よりも板厚が薄く設定されるとともに、同硬質部よりも前記壁部側に設けられる軟質部とからなることを要旨とする。
【０００７】
同構成によれば、シーリングは、カーテンレールの支持片と壁部とによって協働で保持される。すなわち、シーリングは、カーテンレールとは独立しているため、同カーテンレールの形状への依存が小さい。このため、シーリングの大型化が抑制されている。従って、このカーテンレールのカバー装置を取り付けるときの施工性がよい。また、同構成によれば、シーリングの剛性が高まるとともに、シーリングと壁部との間における遮光性及び断熱性が高まる。
【０００８】
請求項２に記載の発明は、請求項１に記載のカーテンレールのカバー装置において、前記ブラケットは、前記カーテンレールを保持する保持部を備え、前記カーテンレールは、前記支持片に連続して前記壁部側へ延びる延設片と、同延設片の下側において前記保持部に保持されるブラケットかかり部とを備え、前記延設片の前記壁部側への突出長は、前記ブラケットかかり部が前記保持部に支持された状態で前記ブラケットに対し前記壁部側に傾斜した状態から、先の支持された部分を支点として回動して前記カーテンレールと前記ブラケットとが取り付け状態となるまで、前記延設片が前記ブラケットの上面に対し干渉しない長さに設定したことを要旨とする。
【０００９】
同構成によれば、カーテンレールをブラケットに取り付けるときに延設片は、ブラケットの上面と干渉しない。これにより、カーテンレールをブラケットにとりつけるときの作業性がよい。
【００１０】
請求項３に記載の発明は、請求項２に記載のカーテンレールのカバー装置において、前記ブラケットかかり部は、前記支持片に連続して前記壁部側へ延びて規制され、前記シーリングは、前記第２の縁部が前記延設片と前記ブラケットかかり部との間に収容されながら、前記第２の縁部を支点にして前記第１の縁部を前記カーテンレールの上方から前記カーテンレールに向かって変位させることにより、前記壁部及び前記支持片の協働で保持されることを要旨とする。
【００１１】
同構成によれば、シーリングの第２の縁部の上側には、延設片が設けられている。このため、第２の縁部の上方への変位が規制される。これにより、シーリングが上方へ変位して外れてしまうことが抑制される。また、カーテンレールと延設片との間に収容した第２の縁部を支点にしてシーリングを回動させるという容易な方法でシーリングをカーテンレールに取り付けることができる。
【００１２】
請求項４に記載の発明は、請求項１〜３のうちいずれかに記載のカーテンレールのカバー装置において、前記シーリングは、条を備えることを要旨とする。
同構成によれば、シーリングの長手方向における剛性が高まる。これにより、支持片と壁部との間に取り付けやすくなる。
【００１３】
請求項５に記載の発明は、請求項４に記載のカーテンレールのカバー装置において、前記カーテンレールは、前記壁部側の第１のレールと、同第１のレールよりも前記壁部から離れた側に設けられる第２のレールとにより構成され、前記ブラケットは、その下部において前記第１及び第２のレールを支持するとともに、前記第２のレールを支持する位置の上面が、前記第１のレールを支持する位置の上面と比較して低く形成され、前記条は、前記ブラケットにおける前記第２のレールを支持する位置の上面と当接することを要旨とする。
【００１４】
同構成によれば、シーリングは、条を介してブラケットの上面に支持される。従って、シーリングの荷重の一部は、直接ブラケットにかかる。これにより、第２のレールにかかる負荷が小さくなる。
【００１５】
請求項６に記載の発明は、請求項１〜５のうちいずれか一項に記載のカーテンレールのカバー装置において、前記カーテンレールの両端部に取り付けられて、同端部を隠すとともに前記壁部側に延びるサイドカバーを備え、前記シーリングは、前記カーテンレールの長手方向の長さと等しく形成され、同シーリングにおける長手方向の縁部は、前記サイドカバーと当接することを要旨とする。
【００１６】
同構成によれば、シーリングとサイドカバーとの間における遮光性及び断熱性が高まる。
請求項７に記載の発明は、請求項１〜６のうちいずれか一項に記載のカーテンレールのカバー装置において、前記ブラケットに取り付けられるとともに、その上部に取付凸部を有するアダプタを備え、前記シーリングの下面には、前記取付凸部に支持される取付溝が形成されることを要旨とする。
【００１７】
同構成によれば、シーリングは、アダプタを介してブラケットに支持される。これにより、シーリングの位置決めがしやすくなる。
請求項８に記載の発明は、請求項１〜７のうちいずれか一項に記載のカーテンレールのカバー装置において、前記カーテンレールの長手方向からみたときの前記シーリングの形状は、波形であることを要旨とする。
【００１８】
同構成によれば、シーリングの長手方向における剛性が高まる。
請求項９に記載の発明は、請求項１〜８のうちいずれか一項に記載のカーテンレールのカバー装置において、前記シーリングは、前記壁部に向かうにつれて徐々に板厚が薄くなることを要旨とする。
【００１９】
板厚が薄くなっている部分は、弾性変形しやすい。従って、同構成によれば、シーリングと壁部とが密着しやすい。これにより、シーリングと壁部との間における遮光性及び断熱性が高まる。
【００２１】
請求項１０に記載の発明は、請求項１〜９のうちいずれか一項に記載のカーテンレールのカバー装置において、前記シーリングは、押出材であることを要旨とする。
【００２２】
同構成によれば、シーリングが軽量となり、カーテンレールへかかる荷重が小さくなる。
請求項１１に記載の発明は、壁部にブラケットを介して支持される２つのカーテンレールの上部を覆うシーリングにおいて、前記ブラケットは、前記壁部側の前記カーテンレールの支持位置の上面が、前記壁部から離れた側の前記カーテンレールの支持位置の上面に対し高くなるように形成されており、前記シーリングの下面には、複数の条が一体形成されるとともに、同条の下側への突出長は、前記壁部側が短く、前記壁部から離れた側が長く形成されることを要旨とする。また、前記シーリングは、硬質部と、同硬質部よりも板厚が薄く設定されるとともに、同硬質部よりも前記壁部側に設けられる軟質部とからなることを要旨とする。
【００２３】
同構成によれば、シーリングに一体形成される複数の条の下側への突出長は、ブラケットの形状に沿ってその設定されている。このため、複数の条は、ブラケットの上面と当接する。これにより、シーリングの荷重は、複数の条からブラケット全体に分散される。従って、ブラケットにかかる負荷が軽減される。また、同構成によれば、シーリングの剛性が高まるとともに、シーリングと壁部との間における遮光性及び断熱性が高まる。
【００２４】
請求項１２に記載の発明は、壁部にブラケットを介して支持されるカーテンレールと、前記カーテンレールの両端部に接続されるとともに、前記壁部側に延びる２つのサイドカバーと、前記カーテンレールの上部に連続して上方に向かって立ち上がるとともに、前記壁部から離れた側の面が意匠面とされた支持片と、前記カーテンレールの上部を覆うとともに、前記壁部、前記２つのサイドカバー、及び前記支持片によって周囲が囲まれるシーリングを備えることを要旨とする。また、前記シーリングは、硬質部と、同硬質部よりも板厚が薄く設定されるとともに、同硬質部よりも前記壁部側に設けられる軟質部とからなることを要旨とする。
【００２５】
同構成によれば、意匠性に優れたカーテンレールの組立体を提供することができる。また、同構成によれば、シーリングの剛性が高まるとともに、シーリングと壁部との間における遮光性及び断熱性が高まる。
請求項１３に記載の発明は、壁部にブラケットを介して支持されるカーテンレールと、同カーテンレールの上部を覆うシーリングとを備えるカーテンレールのカバー装置において、前記カーテンレールの上部に上方に向かって立ち上がる支持片を備え、前記ブラケットは、前記カーテンレールを保持する保持部を備え、前記カーテンレールは、前記支持片に連続して前記壁部側へ延びる延設片と、同延設片の下側において前記保持部に保持されるブラケットかかり部とを備え、前記延設片の前記壁部側への突出長は、前記ブラケットかかり部が前記保持部に支持された状態で前記ブラケットに対し前記壁部側に傾斜した状態から、先の支持された部分を支点として回動して前記カーテンレールと前記ブラケットとが取り付け状態となるまで、前記延設片が前記ブラケットの上面に対し干渉しない長さに設定され、前記シーリングは、前記壁部側の第１の縁部が前記壁部と、前記壁部の反対側に設けられる第２の縁部が前記支持片と、それぞれ当接した状態で、これら前記壁部及び前記支持片の協働で保持されることを要旨とする。
【発明の効果】
【００２６】
本発明では、施工性のよいカーテンレールのカバー装置、シーリング、及びカーテンレールの組立体を提供することができる。
【図面の簡単な説明】
【００２７】
【図１】本実施形態におけるカーテンレール及びカバー装置の分解斜視図。
【図２】本実施形態におけるカーテンレール及びカバー装置の斜視図。
【図３】本実施形態におけるカーテンレール及びカバー装置の側面図。
【図４】本実施形態におけるカーテンレールをブラケットに取り付けるときの側面図。
【図５】本実施形態の別例におけるカーテンレール及びカバー装置の側面図。
【図６】本実施形態の別例におけるシーリング及びブラケットの斜視図。
【図７】本実施形態の別例におけるシーリング及びブラケットの側面図。
【発明を実施するための形態】
【００２８】
以下、本発明を具体化したカーテンレールのカバー装置の一実施形態を図１〜図３に従って説明する。
第２のレール１２の室内側の端部には、上方に延びて壁部と並行に突出形成された支持片１２ａと、これの上端部に連続するとともに壁部側へ延びる延設片１２ｃと、同延設片１２ｃの下側において支持片１２ａに連続して壁部側へ延びるブラケットかかり部１２ｄとが設けられている。この延設片１２ｃの突出長は保持部１５に取り付ける際に、図４に示すように、室内側に引っ掛けて傾けたときにおいてブラケット１３上面には当たらない長さとされている。この支持片１２ａの室内側の面は意匠面１２ｂとされている。意匠面１２ｂは、その上下端部において見切りが形成されている。意匠面１２ｂには、見切りの間において例えば木目オレフィンシート１８が貼着されている。このシート１８と同じのものがサイドカバー２０の正面（室内側の面）から側面（左側及び右側の面）にかけて貼着される。従って、第２のレール１２の意匠面１２ｂ及びサイドカバー２０は、意匠的な統一感をもたらす。また、サイドカバーにも同様の上下前後に見切りを設けている。なお、支持片１２ａは後述するシーリング３０と協働してカーテンレールのカバー装置を構成する。
【００２９】
図１に示すように、第１及び第２のレール１１，１２の両端部にはサイドカバー２０が取り付けられる。詳述すると、サイドカバー２０は、第１及び第２のレール１１，１２の端部を連続して覆うカバー本体２１と、これの内側面に設けられて第１及び第２のレール１１，１２の各端部に嵌合される２つのレール取着部２１ａ，２１ｂとを備えている。また、サイドカバー２０は、同じく内側面に設けられてカバー本体２１のレール取着部２１ａ，２１ｂよりも壁部側に取付部２１ｃを備えている。この取付部２１ｃには、カーテン生地を吊下支持するためのリターンホルダ２２が取り付けられる。
【００３０】
図１に示すように、第１及び第２のレール１１，１２の上部を覆うシーリング３０は、常温において弾性変形が可能とされた樹脂材料の押出材である。このシーリング３０の左右方向（長手方向）の長さは第１及び第２のレール１１，１２の長手方向の長さと同等に、室内外方向（短手方向）の長さはブラケット１３よりも若干長く設定されている。図３に示すように、シーリング３０は、長手方向から見たときの形状が凸と凹とが交互に連続する波形とされた硬質部３１と、これに連続して同じく側面形状が壁部側に向かうにつれて徐々に上方に向かって反るように形成された第１の縁部としての軟質部３２とを備えて構成されている。硬質部３１は室内側、軟質部３２は壁部側とされている。
【００３１】
軟質部３２の板厚は、硬質部３１の板厚に比べ薄く、且つ、壁部側に向かうにつれて徐々に薄く設定されている。このため、軟質部３２は、壁部に沿って弾性変形しやすい。なお、軟質部３２は、薄く、且つ軟らかく形成されているため、刃物等で切り欠き等を形成することが容易である。
【００３２】
硬質部３１は、第２の縁部としての密着片３３、４つの条３４、及び取付溝３５を備えている。密着片３３は、硬質部３１の最室内側において下方に向かって突設されている。この密着片３３の突出長は、第２のレール１２における延設片１２ｃと、ブラケットかかり部１２ｄとの間の距離より僅かに短く設定されている。これにより図５のように傾斜した状態でも密着片３３は延設片１２ｃとブラケットかかり部１２ｄとのとの間に入る。４つの条３４は、硬質部３１の下面において密着片３３よりも壁部側に突設されている。４つの条３４のうちの３つの条３４ａ，３４ｂ，３４ｃの下方向の突出長は、ブラケット１３の上面における室内側と壁部側との高さの差と等しく設定されている。取付溝３５は、
硬質部３１の下面において３つの条３４ａ，３４ｂ，３４ｃよりも壁部側に設けられている。また、４つの条３４のうちの１つの条３４ｄは、取付溝３５のさらに壁部側における軟質部３２との境目に設けられている。この条３４ｄの下方向への突出長は、波形に形成された硬質部３４の下方へ向かって凸となる部分の突出長と同じ長さとされている。これら密着片３３、４つの条３４、及び取付溝３５は、シーリング３０の長手方向（左右方向）に延設されている。すなわち、取付溝３５は、下方に開口するレール状とされており、次に述べるアダプタ４０の取り付け可能とされている。なお、取付溝３５は、上下方向への弾性変形が可能なスナップフィットとされている。また、本例における取付溝３５と密着片３３との距離は、ブラケット１３に支持された第２のレール１２における取付部１３ａと支持片１２ａとの距離と等しく設定されている。なお、シーリング３０の上面は意匠面とされている。
【００３３】
図１に示すように、アダプタ４０は、コの字状に形成された取付脚４１と、これの上部に突設される取付片４２とを備えている。取付片４２の上部には、取付溝３５に取り付けられる取付凸部４３が形成されている。図３に示すように、取付凸部４３は、室内外方向に向かって拡開した後折り返されて上に向かって徐々に先鋭となる形状とされている。取付脚４１は左右方向への弾性変形が可能なスナップフィットとされている。
【００３４】
このように構成されたシーリング３０は、アダプタ４０を介してカーテンレール１を支持するブラケット１３に取り付けられる。
図１において、ブラケット１３の上方において、取付脚４１の位置を取付部１３ａに合わせて、アダプタ４０を下方に向かって移動させる。すると、取付脚４１は、ブラケット１３によって左右方向に弾性変形させられる。そして、取付脚４１は、取付部１３ａまで到達すると、スナップフィットによってブラケット１３を狭持する。こうして、アダプタ４０がブラケット１３に取り付けられる。
【００３５】
次に、アダプタ４０の上方において、取付溝３５の位置を取付片４２（取付凸部４３）に合わせてシーリング３０を下方に向かって移動させる。このとき、シーリング３０の密着片３３は、第２のレール１２における延設片１２ｃと、ブラケットかかり部１２ｄとの間に入り込ませる。すると、取付溝３５は、取付凸部４３によって上下方向に弾性変形させられる。そして、取付溝３５は、取付凸部４３の下部まで到達すると、スナップフィットによって取付凸部４３を支持する。こうして、シーリング３０は、アダプタ４０に取り付けられるとともに、図２に示すように、第１及び第２のレール１１，１２の上方を覆う。また、シーリング３０の左右方向における長さは、第１及び第２のレール１１，１２の長手方向の長さと等しいので、シーリング３０の両端部は、サイドカバー２０と当接する。
【００３６】
次に、ブラケット１３に取り付けられたシーリング３０の作用について説明する。
ブラケット１３に取り付けられたシーリング３０は、第１及び第２のレール１１，１２の上方を覆う。これにより、第１及び第２のレール１１，１２の間から光が漏れたり、熱が外部と交換されたりすることを抑制する。すなわち、シーリング３０は、遮光効果及び断熱効果を高める。また、第１及び第２のレール１１，１２の上部やこれに吊下支持されるカーテンの上部に埃や塵が堆積することを抑制する。
【００３７】
また、取付溝３５と密着片３３との距離は、ブラケット１３に支持された第２のレール１２における取付部１３ａと支持片１２ａとの距離と等しく設定されているため、シーリング３０がカーテンレール１に取り付けられると、密着片３３の室内側の面と支持片１２ａの壁部側の面とが密着する。さらに密着片３３の上側の面と、支持片１２ａの壁部側へ折れ曲がっている部分の下面とが密着する。すなわち、この両者間における空間が形成されなくなる。これにより、意匠面１２ｂと、シーリング３０の上面に形成される意匠面との段差が小さくなるので、両意匠面による一体感を感じやすくなる。
【００３８】
さらに、シーリング３０の室内外方向の長さはブラケット１３よりも若干長く設定されている。従って、シーリング３０がカーテンレール１に取り付けられると、軟質部３２が壁部と当接、且つ密着する。これにより、軟質部３２と壁部との間における遮光効果及び断熱効果が高まる。
【００３９】
また、本例のカーテンレール１には、サイドカバー２０が取り付けられ、そのサイドカバー２０には、リターンホルダ２２が取り付けられている。このため、第１及び第２のレール１１，１２の長手方向は、リターンホルダ２２によって折り返されるカーテンによって遮光性及び断熱性が高められている。従って、このカーテンレール１にシーリング３０を取り付けたことにより、これらの効果が更に高まる。
【００４０】
なお、シーリング３０の硬質部３１は、断面波形に形成されている。このため、長手方向への剛性が高まるので、硬質部３１における板厚を薄くすることができる。これにより、シーリング３０の重量を抑制することができ、ひいては、ブラケット１３への負荷を抑制することができる。しかも、この点において、本例のシーリング３０には、４つの条３４が長手方向に亘って形成されている。このため、先の長手方向への剛性がさらに高められている。従って、さらに硬質部３１における板厚を薄くすることができる。
【００４１】
また、軟質部３２は、薄く、且つ軟らかく形成されている。このため、本例では、図３に示すように、軟質部３２に切り欠き３２ａを設けた。この切り欠き３２ａが設けられる位置は、ブラケット１３における壁部とのビス止め位置と対応する位置とした。これにより、軟質部３２は、ブラケット１３の位置によらず、壁部と密着する。
【００４２】
以上詳述したように、本実施形態によれば、以下に示す効果が得られる。
（１）壁部に取り付けられたブラケット１３に支持される第２のレール１２の室内側の端部に上方に延びる支持片１２ａを設けた。また、ブラケット１３にアダプタ４０を介して支持されるシーリング３０の室内外方向の長さを壁部と支持片１２ａとの距離よりも若干長く設定した。これにより、シーリング３０をブラケット１３に取り付けたとき、このシーリング３０は、支持片１２ａと壁部との間に挟持される。このようにシーリング３０は、第２のレール１２とは独立している。従って、シーリング３０を取り付けるときの施工性がよい。また、シーリング３０をカーテンレール１に後付するときの施工性もよい。
【００４３】
（２）シーリング３０にブラケット１３の上面における室内側と壁部側との高さの差と等しく設定された条３４を設けた。これにより、シーリング３０をブラケット１３に取り付けたとき条３４はブラケット１３の上面に当接する。このため、シーリング３０の荷重は条３４を介してブラケット１３にかかる。従って、シーリング３０の荷重を壁部と協働して支持していた第２のレール１２にかかる負荷が小さくなる。
【００４４】
（３）カーテンレール１の両端部に、サイドカバー２０を取り付けた。さらに、サイドカバー２０に、リターンホルダ２２が取り付けた。これにより、第２のレール１２のランナー２に吊下支持されるカーテンは、リターンホルダ２２によって折り返される。すなわち、左右方向の空間が折り返されたカーテンによって覆われる。このため、遮光効果及び断熱効果が高まる。
【００４５】
（４）シーリング３０の硬質部３１における左右方向から見た形状を波形とした。これにより、シーリングの長手方向における曲げ剛性が高まる。従って、一般的に長尺となるシーリング３０のブラケット１３への取り付けが容易となる。
【００４６】
（５）シーリング３０の仮面に設けられる４つの条３４の突出長を、ブラケット１３の上面と当接するように設定した。これにより、シーリング３０の荷重は、４つの条３４からブラケット１３に分散される。これにより、ブラケット１３にかかる負荷が軽減される。
【００４７】
（６）シーリング３０の周囲を、壁部、２つのサイドカバー２０、支持片１２ａで囲うようにした。これにより、見た目のよい意匠性に優れたカーテンレールの組立体を提供することができる。
【００４８】
なお、上記実施形態は以下のように変更してもよい。
・上記実施形態おいて、アダプタ４０を省略することができる。シーリング３０の室内外方向における長さは、壁部と支持片１２ａとの長さよりも若干長く形成されている。従って、シーリング３０は、壁部と支持片１２ａとの間に挟持される。すなわち、アダプタ４０を省略してもシーリング３０の密着片３３と支持片１２ａとの密着は維持される。このため、このように構成しても、シーリング３０と支持片１２ａとの間における遮光効果及び断熱効果は高まる。なお、このときは、シーリング３０に取付溝３５を形成しなくてもよい。
【００４９】
・上記実施形態では、シーリング３０は、アダプタ４０を介してブラケット１３に取り付けられたが、アダプタを介して第１のレール１１に取り付けられてもよい。また、アダプタ４０は省略してもよい。この場合、シーリング３０は、密着片３３を延設片１２ｃとブラケットかかり部１２ｄとの間に位置させるとともに、同延設片１２ｃを支点として軟質部３２側を下側へ向けて回動させる。シーリング３０の短手方向（室内側方向）の長さは、壁部と支持片１２ａとの間の距離より若干長く形成されているので、軟質部３２が下側へ変位するのに伴い、同軟質部３２は、壁部と当接する。そして、軟質部３２は、壁部に沿って弾性変形する。この弾性変形により、シーリング３０には、室内側へ向かって変位しようとする力が働くので、同シーリング３０は、壁部と支持片１２ａとの間で挟持される。このように構成してもシーリング３０と支持片１２ａとの間における遮光効果及び断熱効果は高まる。
【００５０】
・上記実施形態において、条３４は省略してもよい。このように構成してもシーリング３０と支持片１２ａとの間における遮光効果及び断熱効果は高まる。
・上記実施形態において、ブラケット１３における第２のレール１２の取り付け位置上面の高さは第１のレール１１の取り付け位置上面の高さよりも低く設定されていたが、同じ高さでもよいし、反対に、第１のレール１１の取り付け位置上面の高さが高くてもよい。この場合、第２のレール１２の支持片１２ａの上方への突出高さが、第１のレール１１の取り付け位置上面よりも高ければよい。このように構成してもシーリング３０と支持片１２ａとの間における遮光効果及び断熱効果は高まる。
【００５１】
・上記実施形態において、サイドカバー２０は省略してもよい。このように構成してもシーリング３０と支持片１２ａとの間における遮光効果及び断熱効果は高まる。
・上記実施形態において、シーリング３０の左右方向の長さは、第１及び第２のレール１１，１２の長手方向の長さと等しくなくてもよい。このように構成してもシーリング３０と支持片１２ａとの間における遮光効果及び断熱効果は高まる。なお、シーリング３０の左右方向の両端部とサイドカバー２０とが当接していれば、両者の間における遮光効果及び断熱効果は高まる。
・上記実施形態において、シーリング３０は、波形に形成されていなくてもよい。例えば、面一に形成されていたとしても、シーリング３０と支持片１２ａとの間における遮光効果及び断熱効果は高まる。
【００５２】
・上記実施形態において、シーリング３０の板厚は、壁部に向かうにつれて薄くならなくてもよい。このように構成しても、シーリング３０と支持片１２ａとの間における遮光効果及び断熱効果は高まる。
【００５３】
・上記実施形態では、シーリング３０は、板厚の厚い硬質部３１とこれの板厚よりも薄い板厚の軟質部３２とにより構成されたが、厚さは均一であってもよい。このように構成しても、シーリング３０と支持片１２ａとの間における遮光効果及び断熱効果は高まる。
【００５４】
・上記実施形態では、シーリング３０は押出形成されたが、形成方法はこれに限らない。例えば、引出形成やプレス形成であってもよい。このようにしても、シーリング３０と支持片１２ａとの間における遮光効果及び断熱効果は高まる。
【００５５】
・上記実施形態では、取付溝３５はスナップフィットとしたが、スナップフィットでなくてもよい。すなわち、取付溝３５は弾性変形不能としてもよい。この場合、アダプタ４０の取付凸部４２を取付溝３５に長手方向に沿ってスライドさせることにより、この両者を取り付け、その後、アダプタ４０をブラケット１３に取り付ける。このようにしても、上記実施形態と同様の効果を得ることができる。
【００５６】
・上記実施形態において、切り欠き３２ａに代えて図６に示すように覆部を設けてもよい。また、切り欠き３２ａは設けなくてもよい。この場合、図７に示すように、軟質部３２がブラケット１３の壁部へのビス止め位置を覆う。このように構成しても、上記実施形態と同様の効果を得ることができる。
【符号の説明】
【００５７】
１…カーテンレール、１１…第１のレール、１２…第２のレール、１２ａ…支持片、１３…ブラケット、２０…サイドカバー、３０…シーリング、３１…硬質部、３２…軟質部、３３…密着片、３４…条、３５…取付溝、４０…アダプタ。
【図１】
0005808952.tif 000002
【図２】
0005808952.tif 000003
【図３】
0005808952.tif 000004
【図４】
0005808952.tif 000005
【図５】
0005808952.tif 000006
【図６】
0005808952.tif 000007
【図７】
0005808952.tif 000008